(57)【要約】      （修正有）【課題】頻繁に予約する番組を容易に選択／予約が行える電子番組提示機能制御の提供。【解決手段】放送局から送信される放送番組情報を取得し、電子番組表を構成する手段と、該電子番組表を表示装置上に提示し、それを用いて視聴予約あるいは録画予約する手段と、予約された番組の履歴情報を番組の類似性によりグループ管理して保持する手段と、番組予約情報保持手段と番組類似グループ管理手段とから過去に予約された番組の類似性を検出し、類似度の高い番組同士をグループ化する手段と、該番組類似グループ管理部で管理される番組グループ毎の予約頻度を計算し、予約頻度が高いと計算された類似番組を放送日時順に予約頻度管理部に格納し、予約頻度が高い番組は表示する際に、他番組と区別して表示すると共に、ダイレクト選択手段が選択されたとき、予約頻度の高い番組枠のみカーソル移動（予約可能）させ、視聴予約あるいは録画予約ができる。【選択図】図３
2005311561.tif 000002
【特許請求の範囲】
【請求項１】
放送局から送信される放送番組に関する情報を取得する手段と、該番組情報取得手段により取得された情報から電子番組表を構成する手段と、該電子番組表を表示装置上に提示する手段と、該電子番組表を用いてインタラクティブに番組を選択し視聴予約あるいは録画予約する選択予約手段と、該選択予約手段により予約された番組の情報を保持する手段と、予約された番組の履歴情報を番組の類似性によりグループ管理して保持する手段と、該番組予約情報保持手段と番組類似グループ管理手段の情報から過去に予約された番組の類似性を検出し、類似度の高い番組同士をグループ化して管理する手段と、該番組類似グループ管理手段で保持され管理される番組のグループ毎の予約頻度を計算する手段と、該予約頻度計算手段により、予約頻度が高いと計算された番組のグループに対し、該電子番組表提示手段が、電子番組表を提示する際に、他番組と区別した表示をする手段とを具備し、
選択予約手段は、ダイレクト選択予約手段を備え、
該ダイレクト選択予約手段が選択されたとき、制御装置は選択可能な番組として予約頻度計算手段が予約頻度が高いと計算した番組のグループのみを表示装置に提示させることを特徴とする番組表提示機能制御装置。
【請求項２】
前記予約頻度計算手段が予約頻度が高いと計算した番組グループは放送日時が早い順に番組予約頻度管理部に格納され、ダイレクト選択手段が選択されたとき、番組予約頻度管理部に格納される番組を格納されている順に表示手段に提示させることを特徴とする請求項１記載の番組表提示機能制御装置。
【発明の詳細な説明】
【技術分野】
【０００１】
本発明は、放送局から受信した放送番組の情報を電子番組表として表示装置上に表示し、番組の視聴予約あるいは録画予約を行うことができる電子番組表提示機能制御装置に関するものである。
【背景技術】
【０００２】
近年、電子番組表が普及してきている。従来からのアナログ放送では、電波の隙間（ＶＢＩ）に番組表データを重畳したＡＤＡＭＳ−ＥＰＧや、インターネットサーバ上にアクセスして番組データ取得するｉＥＰＧ等が知られている。ＢＳ／ＣＳ／地上デジタルテレビ放送では、映像／音声／データ放送以外に番組に関する情報（例えば番組の名称、番組内容、番組放送日、番組放送開始時間、番組放送継続時間、放送チャンネル、番組ジャンルコードなど）も電波に重畳して送出されている。ＢＳ／ＣＳ／地上デジタルテレビ放送受信装置では、放送局から送出されるＥＩＴ（Ｅｖｅｎｔ  Ｉｎｆｏｒｍａｔｉｏｎ  Ｔａｂｌｅ）と呼ばれる番組情報を利用し、これらを取得／構成することにより、電子番組表機能をユーザに提供している。
【０００３】
以下、従来の電子番組表に関し、図１及び図２とともに説明する。
図１は表示装置上に表示されている一般的な電子番組表画面の一例である。図２は一般的な電子番組表機能を有するテレビ受像機のリモコンの一例である。
ユーザがリモコン１０７のＥＰＧ表示キー１２を押下すると、図１のような形式の電子番組表画面をユーザに提示する。電子番組表画面には、時間毎に各チャンネルの番組構成を一覧表示し、ユーザはその番組の名称、放映時間を一見で知ることができる。提示された電子番組表上には現在選択されている番組を示すカーソル１が表示されている。そして、リモコン１０７のカーソルキー１４の上下左右操作で、選択したい番組へカーソル１を移動させ決定キー１５を押下することにより選択した番組を視聴したり、予約したりすることができる。
一般に、現時刻に放送中の番組を選択した場合は視聴操作とみなされ、未来の番組を選択した場合は予約操作と見なされる。また、電子番組表の多くは番組の予約を行った場合、電子番組表中の番組枠の中に予約済みアイコン２等を表示することにより、電子番組表を一見しただけで予約済みの番組であることがわかるように構成されている。
【０００４】
【特許文献１】特開平７−１９３７６２号公報
【発明の開示】
【発明が解決しようとする課題】
【０００５】
しかしながら、表示装置上に表示されている一般的な電子番組表は、図１に示す電子番組表の一例のように新聞のテレビ欄のような形態になっている。すなわち、全ての番組が同様の形式で表示され、ユーザの視聴あるいは録画予約したい番組とそうでない番組の区別がつかない。また、電子番組表において、番組の名称が長く、電子番組表の枠内に表示しきれない場合がある。このような場合、一般に番組名の先頭から途中まで電子番組表に表示され、番組の名称を全て確認するには、ユーザはリモコン１０７のカーソルキー１４を用いて、電子番組表上の所望の番組の枠までカーソル移動を行う必要がある。
このようにユーザは、電子番組表を用いて番組の視聴あるいは録画予約する際、電子番組表から所望の番組を探し出し、それが所望の番組であるかどうかを確認するのに時間がかかる。特に、ユーザが頻繁に視聴あるいは録画予約する番組は、同様の操作を毎回繰り返すのは面倒であり、あるいは最悪の場合、見落としてしまうという問題があった。また、上述したように、従来の電子番組表の中には予約済みアイコンを提示するものもあるが、これは実際に予約を行った番組に関し、ユーザに提示する機能であり、今後ユーザが予約を行う可能性のある番組をユーザに提示するものではない。そのような不具合に対して、上記特許文献１には、予約頻度が高い番組に対し、他の番組と区別して表示する技術が開示されている。しかし、これはユーザにとって視認性を向上させるためだけのもので、該番組を視聴予約あるいは録画予約するには、ユーザはリモコン１０７のカーソルキー１４を用いて所望の番組の枠まで上下左右移動する必要があり、操作が面倒であるという問題点があった。
【０００６】
本発明は、上述した問題点を解決するためになされたものであり、電子番組表を表示する際、頻繁に予約する番組を他番組と区別して表示すると共に、頻繁に予約する番組を容易に選択／予約行えるようにした電子番組の提示機能制御装置を提供することを目的とする。
【課題を解決するための手段】
【０００７】
上記目的を達成するために本発明の番組表提示機能制御装置は、放送局から送信される放送番組に関する情報を取得する手段と、該番組情報取得手段により取得された情報から電子番組表を構成する手段と、該電子番組表を表示装置上に提示する手段と、該電子番組表を用いてユーザがインタラクティブに番組を選択し視聴予約あるいは録画予約する手段と、該予約手段により予約された番組の情報を保持する手段と、予約された番組の履歴情報を番組の類似性によりグループ管理して保持する手段と、該番組予約情報保持手段と番組類似グループ管理手段とから過去に予約された番組の類似性を検出し、類似度の高い番組同士をグループ化する手段と、該番組類似グループ管理部で保持されるグループ管理される番組グループ毎の予約頻度を計算する手段と、該予約頻度計算手段により、予約頻度が高いと計算された類似番組に対し、該電子番組表提示手段により、ユーザに電子番組表を提示する際に、他番組と区別して表示する手段とを具備し、かつ選択予約手段は、「お好み予約」なるダイレクト選択手段を備え、該手段が選択されたとき、予約頻度の高い番組枠のみカーソル移動（予約可能）させ、視聴予約あるいは録画予約ができることを特徴とするものである。
【０００８】
これらにより、予約頻度の高いグループに属する番組を他番組と区別できるような表示方法で表示装置上に電子番組表を構成し、リモコンにダイレクト選択ボタンを備えて予約頻度の高い番組のみを表示させることにより、カーソルキーを使用せず、素早く選択／決定することで、ユーザは予約頻度の高い番組を迅速に視聴予約あるいは録画予約することができるようになる。
【発明の効果】
【０００９】
本発明に係る電子番組表提示機能の制御装置は、頻繁に予約される番組を電子番組表に提示する際に、該番組を他番組と区別して表示するので、ユーザの視認性を向上させることができる。また、リモコンにダイレクト選択手段を備えることにより、頻繁に予約する番組を電子番組表から迅速かつ容易に見つけ出し、予約ができるようになる。
【発明を実施するための最良の形態】
【００１０】
以下、図３から図５を用いて、本発明に係る電子番組表提示機能を有する電子装置の実施形態について説明する。図３は本発明の実施形態による電子番組表提示機能を有する電子装置の一例であるデジタルテレビ放送受信装置の構成を示すブロック図である。
放送局から送信される放送波は、放送受信アンテナ１０１を通して、チューナー１０２で受信される。受信された放送波には、テレビ番組の映像／音声／データ放送の情報の他に、電子番組表の構成に利用する番組情報が含まれている。受信された放送波は、映像／音声／データ／番組情報分離部１０３で映像データ、音声データ、データ放送データ、番組情報に分離され、それらは、それぞれ映像処理部１１６、音声処理部１１５、データ処理部１１７、番組情報処理部１０４で処理される。
映像処理部１１６で処理された映像データは、映像／ＯＳＤ信号合成部１１３を経てＴＶ画面表示部１１４に出力される。音声処理部１１５で処理された音声データは、音声出力１１８に出力される。データ処理部１１７で処理されたデータ放送データはＯＳＤ表示部１１２を経て映像／ＯＳＤ信号合成部１１３で映像信号と合成され、ＴＶ表示画面表示部１１４に出力される。番組情報は、番組情報処理部１０４を経て、番組表構成部１０５で番組表として構成される。
【００１１】
次に、本発明の制御装置により類似番組をグループ化する手法に関する実施形態の一例を図２から図４を用いて説明する。
まず、ユーザが電子番組表の提示を希望したとき、リモコン１０７の電子番組表を表示するためのボタンであるＥＰＧ表示キー１２を押下する（ステップＳ２０１）。キー入力部１０８でその信号を受信し、そのキーコードをＵＩ管理部１０６に入力する。ＵＩ管理部１０６で、そのキーコードが“ＥＰＧ表示”と判断されたら、ＵＩ管理部１０６は番組表構成部１０５に番組表データを要求する。番組表構成部１０５は要求された番組表データをＵＩ管理部１０６へ返し、ＵＩ管理部１０６はＯＳＤ表示部１１２に電子番組表の提示を指示する。電子番組表は映像／ＯＳＤ信号合成部１１３で映像信号と合成され、ＴＶ画面表示部１１４に出力される（ステップＳ２０２）。ＴＶ画面表示部１１４に表示された電子番組表画面には、時間毎に各チャンネルの番組構成が一覧表示される。ユーザは表示された番組表からその番組の名称、放映時間を一見で知ることができる。
【００１２】
ユーザが番組の視聴予約あるいは録画予約を行う場合、リモコン１０７のカーソルキー１４と決定キー１５を操作することにより一覧表示されている電子番組表上に選択された番組を示すカーソルが表示される。すなわり、ユーザがリモコン１０７からカーソルキー１４を操作すると、キー入力部１０８はその信号を受信し、そのキーコードをＵＩ管理部１０６に入力する。ＵＩ管理部１０６で、そのキーコードが“カーソルキー”と判断されたら、ＵＩ管理部１０６は番組表上にあるカーソルを押されたカーソルキー１４に応じて上下左右に移動し、ＯＳＤ表示部１１２にそのカーソルの動きを反映する描画（表示）を指示する。カーソルの移動が反映された電子番組表画面は、映像／ＯＳＤ信号合成部１１３で映像信号と合成され、ＴＶ画面表示部１１４に出力される。
【００１３】
ユーザはこのようなカーソル操作により、電子番組表上の選択したい番組にカーソルをフォーカスさせる。ユーザは選択したい番組をフォーカスさせた後、リモコン１０７の決定キー１５を押下する。決定キー１５押下の信号は、キー入力部１０８で受信され、キー入力部１０８はそのキーコードをＵＩ管理部１０６に入力する。ＵＩ管理部１０６で、そのキーコードが“決定”と判断されたら、選択した番組が視聴予約あるいは録画予約される。そして、その予約の番組情報は予約情報保持部１０９に格納される（ステップＳ２０３）。本実施例では、予約情報保持部１０９に格納される番組の情報は、番組の名称、番組放送日、番組放送開始時間、番組放送継続時間、放送チャンネルを想定している。これらの情報は本実施例の実現のための一例であり、これらに限定するものではない。必要に応じて格納データ項目を増やしたり減らしたりしても問題はない。
番組類似グループ管理部１１１では、類似している番組同士をグループ化して管理している。ここで類似している番組というのは、番組の名称、番組放送開始時間、放送チャンネルの各項目が一致しているものを想定する。この番組類似の条件は一例であり、異なる条件で類似していると判断する運用を行っても構わない。番組類似グループ管理部１１１で管理されている各グループには、そのグループに属する番組が過去に何回予約されたかの情報も保持する。
【００１４】
ＵＩ管理部１０６は、予約情報保持部１０９に番組予約情報を格納した後、その番組予約情報をグループ化するよう番組類似度検出部１１０に指示を出す。番組類似度検出部１１０は予約情報保持部１０９に新たに予約された番組の情報、すなわち、番組の名称、番組放送開始時間、放送チャンネルを要求する。番組類似度検出部１１０が、予約情報を取得した後、番組類似度検出部１１０は、類似する番組をグループ化して管理している番組類似グループ管理部１１１に対し、類似番組グループの情報を一つ一つ順次要求し、比較していく。ここでは、番組類似グループ管理部１１１に格納されている類似番組グループの数をｇｎ、番組類似度検出部１１０が番組類似グループ管理部１１１から取得するｉ番目の類似番組グループの情報をｇｒｏｕｐ［ｉ］と表現する。番組類似度検出部１１０は、番組情報保持部１０９から取得した番組情報とｇｒｏｕｐ［ｉ］と比較し、（ステップＳ２０４→ステップＳ２０５→ステップＳ２０６→ステップＳ２０８）番組情報が一致する、すなわち、番組の名称、番組放送開始時間、放送チャンネルの各項目が全て一致した場合は、その新たに予約された番組と一致したグループの予約回数を１つカウントアップする（ステップＳ２０７）。一方、どのグループの番組情報にも一致しなかった場合は、新規にグループを作成し、そのグループにその新たに予約された番組情報を格納し、予約回数を１にセットする（ステップＳ２０９）。このように番組類似度検出部１１０で類似している番組同士をグループ化にしたものは番組類似グループ管理部１１１に格納する（ステップＳ２１０）。
【００１５】
次に、本発明の予約頻度の計算手法と他番組と区別して表示する手法の実施形態の一例を図２、図３および図５、図６を用いて説明する。
番組表構成部１０５は、番組表が構成されると（ステップＳ３０１）、ＵＩ管理部１０６に番組表が構成されたことを通知する。ＵＩ管理部１０６が番組表構成完了の通知を受信すると、ＵＩ管理部１０６は番組類似度検出部１１０に、番組表構成部１０５中の番組情報の中で予約頻度の高い番組情報があるかどうか判定するように指示する。指示された番組類似度検出部１１０は、番組表構成部１０５中の各番組情報と番組類似グループ管理部１１１中の各類似番組グループ情報を総当りで比較して行き、予約頻度の高い番組が存在するのかどうか判定する。後の説明のためにここでは、番組表構成部１０５に格納されている番組の数をｐｎ、番組類似度検出部１１０が番組表構成部１０５から取得するｊ番目の番組情報をｐｒｏｇｒａｍ［ｊ］と表現する。
【００１６】
まず、番組類似度検出部１１０は、番組表構成部１０５に対し、一個の番組情報を要求する。番組構成部１０５はこの要求に対し、番組情報の一つｐｒｏｇｒａｍ［ｊ］を番組類似度検出部１１０に返す。番組類似度検出部１１０は番組表構成部１０５からｐｒｏｇｒａｍ［ｊ］を受信すると（ステップＳ３０２→ステップＳ３０３→ステップＳ３０４）、次に番組類似グループ管理部１１１に類似番組グループの情報ｇｒｏｕｐ［０］〜ｇｒｏｕｐ［ｎ−１］を順次要求し、ｐｒｏｇｒａｍ［ｊ］と比較していく（ステップＳ３０５→ステップＳ３０６→ステップＳ３０７→ステップＳ３０８）。
ｐｒｏｇｒａｍ［ｊ］と一致するｇｒｏｕｐ［ｉ］が存在した場合は、類似番組グループ情報ｇｒｏｕｐ［ｉ］の予約回数から予約頻度を判断し（ステップＳ３１０）、予約頻度が高いと判断した場合は、ｐｒｏｇｒａｍ［ｊ］に予約頻度が高いという情報を格納するとともに、番組予約頻度管理部１１９にｐｒｏｇｒａｍ［ｊ］を送信し、番組予約頻度管理部１１９は、番組予約頻度管理部１１９で管理されている番組を放送日時順に並ぶよう、ｐｒｏｇｒａｍ［ｊ］を格納する（ステップＳ３１２）。
一方、予約頻度が高くないと判断した場合は、ｐｒｏｇｒａｍ［ｊ］に予約頻度が低いという情報を格納する（ステップＳ３１３）。上記処理をｐｒｏｇｒａｍ［０］〜ｐｒｏｇｒａｍ［ｐｎ−１］に対して行う。
【００１７】
本実施例では、この予約頻度の判定は、予め定めておく閾値Ｎに対する予約回数の大小で判定する。ｇｒｏｕｐ［ｉ］の予約回数がＮ以上の場合は、予約頻度が高いと判定し、Ｎ未満の場合は予約頻度が低いと判定する。この予約頻度の判定方法は本発明の実施の一例であり、限定しない。
【００１８】
このように本実施例では、番組表構成部１０５で番組表が構成された時点で、番組表構成部１０５に格納されている各番組に関する予約頻度の高低が判断され、番組表構成部１０５に格納されている各番組に対する予約頻度高低情報は番組表構成部１０５に保持されてる。
画面に電子番組表を表示するには、まず、ユーザがリモコン１０７のＥＰＧ表示キー１２を押下する（ステップＳ２０１）。キー入力部１０８でその信号を受信し、そのキーコードをＵＩ管理部１０６に入力する。ＵＩ管理部１０６で、そのキーコードが“ＥＰＧ表示”と判断されたら、ＵＩ管理部１０６は、番組表構成部１０５に、ある日時（例えば現在）の放送時間枠の番組表データを要求する。番組表構成部１０５は要求された番組表データをＵＩ管理部１０６に送信する（ステップＳ４０２）。ここでは、ある日時の放送時間枠の番組データの数をｄｎ、各番組データをｄｉｓｐ＿ｐｒｏｇｒａｍ［ｋ］と表現する。ＵＩ管理部１０６は受信した番組表データをＯＳＤ表示部１１２に描画するよう指示する。ＯＳＤ表示部１１２は、受信した番組表データに従い、番組表を描画する（ステップＳ４０７）。このとき、ＯＳＤ表示部１１２は番組表データに含まれる各番組の予約頻度高低情報を参照し、予約頻度が高い番組を予約頻度が低い番組とは区別した表示方法で表示する。例えば、色、点滅、拡大、太字、３Ｄや、番組の名称が長く、電子番組表の枠内に表示しきれない場合は、その番組名称の長さに合わせて該番組欄の枠を拡張し、番組の名称が途中で途切れることなく、全て表示できるようにするなど、他番組との区別する手段で表示する。なお、この他番組と区別できる表示方法も一例であり、他にも他番組と区別できるような表示方法によってもよい。
【００１９】
次に、本発明の他番組と区別して表示し、かつリモコンに「お好み予約」なるダイレクト選択できるボタン（ダイレクト選択手段）を設けた場合の視聴予約あるいは録画予約を説明する。・・図２、図３および図６を参照。
この予約方法はカーソルキーを使用せず、素早く視聴予約あるいは録画予約ができる。
まず、ＥＰＧ表示キー１２を押下する（ステップＳ２０１）。ＥＰＧ表示キー１２押下（ステップＳ２０１）から他の番組と区別して表示する（ステップＳ５０１）手法の詳細な説明は、前記予約頻度の計算手法と他番組と区別して表示する手法と同様であるので、省略する。
番組予約頻度管理部１１９に格納されている予約頻度の高い番組の数をｆｎとする。番組予約頻度管理部１１９に格納されている予約頻度が高いと判断されたｆｎ個の番組情報は放送日時順に並べられており、ｌ番目の番組をｆａｖｏｒｉｔｅ＿ｐｒｏｇｒａｍ［ｌ］と表現する。ここで、ｆａｖｏｒｉｔｅ＿ｐｒｏｇｒａｍ［０］の放送日時が最も早く、ｆａｖｏｒｉｔｅ＿ｐｒｏｇｒａｍ［ｆｎ−１］の放送日時が最も遅いとする。
【００２０】
電子番組表上で予約頻度が高い番組枠をダイレクト選択により予約する場合を説明する。
リモコン１０７の「お好み予約」キー１６を押下する（ステップＳ５０２）。キー入力部１０８でその信号を受信し、そのキーコードをＵＩ管理部１０６に入力する。ＵＩ管理部１０６で、そのキーコードが“お好み予約”と判断されたら、ＵＩ管理部１０６は番組予約頻度管理部１１９のｆａｖｏｒｉｔｅ＿ｐｒｏｇｒａｍ［０］を要求する。番組予約頻度管理部１１９は、この要求に対し、格納されている番組情報の中で最も放送日時の早い番組であるｆａｖｏｒｉｔｅ＿ｐｒｏｇｒａｍ［０］をＵＩ管理部１０６に返す。ＵＩ管理部１０６は、ｆａｖｏｒｉｔｅ＿ｐｒｏｇｒａｍ［０］の放送日時情報をもとに、番組構成部１０５中のｆａｖｏｒｉｔｅ＿ｐｒｏｇｒａｍ［０］の放送時間枠の番組表データを要求する。番組構成部１０５はｆａｖｏｒｉｔｅ＿ｐｒｏｇｒａｍ［０］の放送時間枠の番組表データをＵＩ管理部１０６に返し、ＵＩ管理部１０６は、ＯＳＤ表示部１１２にそれら番組データを電子番組表として描画するよう指示する。さらにＵＩ管理部１１６は、その番組表データの中のｆａｖｏｒｉｔｅ＿ｐｒｏｇｒａｍ［０］の番組枠へカーソルをフォーカスし（ステップＳ５０３→ステップＳ５０４→ステップＳ５０５）、ＯＳＤ表示部１１２にそのフォーカスを反映するよう描画を指示する。「お好み予約」キー１６押下により予約頻度が高い番組にカーソルがフォーカスされた電子番組表画面は、映像／ＯＳＤ信号合成部１１３で映像信号と合成され、ＴＶ画面表示部１１４に出力される。
上記処理を「お好み予約」キー１６が押されるたびにｆａｖｏｒｉｔｅ＿ｐｒｏｇｒａｍ［１］〜ｆａｖｏｒｉｔｅ＿ｐｒｏｇｒａｍ［ｆｎ−１］に対して行う（ステップＳ５０６→ステップＳ５０７）。ｆａｖｏｒｉｔｅ＿ｐｒｏｇｒａｍ［ｆｎ−１］で「お好み予約」キー１６が押下された場合は、ｆａｖｏｒｉｔｅ＿ｐｒｏｇｒａｍ［０］に戻って再び上記処理を実行する。
【００２１】
ユーザがこのようにダイレクト選択を実行することにより、制御装置は予約頻度が高い番組にカーソルをフォーカスする。ユーザは視聴予約あるいは録画予約したい番組がフォーカスされたとき、決定キー１５を押下する（ステップＳ５０８）。
決定キー１５押下の信号は、キー入力部１０８で受信され、キー入力部１０８はそのキーコードをＵＩ管理部１０６に入力する。ＵＩ管理部１０６で、そのキーコードが“決定”と判断されたら、選択した番組が、視聴予約あるいは録画予約される（ステップＳ５０９）。
以上説明したように、本発明に係る電子番組表提示機能の制御装置は、頻繁に予約される番組を他の番組とは区別して表示するのでユーザの視認性を向上させることができると共に、リモコンのダイレクト選択手段を選択することにより、頻繁に予約する番組を放送日時が早い順に電子番組表に提示するので、カーソルキーを使用せず、素早く視聴予約あるいは録画予約ができる。
【図面の簡単な説明】
【００２２】
【図１】表示装置上に表示されている一般的な電子番組表画面の一例を示す図。
【図２】一般的な電子番組表機能を有するテレビ受像機のリモコンの一例を示す図。
【図３】本発明の実施形態による電子番組表提示機能を有する電子装置の一例であるデジタルテレビ放送受信装置の構成を示すブロック図。
【図４】本発明の類似番組をグループ化する手法に関する実施形態の一例を示すフローチャート。
【図５】本発明の予約頻度の計算手法の実施形態の一例を示すフローチャート。
【図６】本発明の他番組と区別して表示する手法の実施形態の一例を示すフローチャート。
【図７】本発明のダイレクト選択ボタンを用いた視聴予約あるいは録画予約する手法の実施形態の一例を示すフローチャート。
【符号の説明】
【００２３】
１  カーソル
２  予約済みアイコン
１１  電源キー
１２  ＥＰＧ表示キー
１３  選局キー
１４  カーソルキー
１５  決定キー
１６  「お好み予約」キー
１００  デジタルテレビ放送受信装置
１０１  アンテナ
１０２  チューナー
１０３  映像／音声／データ／番組情報分離部
１０４  番組情報処理部
１０５  番組表構成部
１０６  ＵＩ管理部
１０７  リモコン
１０８  キー入力部
１０９  予約情報保持部
１１０  番組類似度検出部
１１１  番組類似グループ管理部
１１２  ＯＳＤ表示部
１１３  映像／ＯＳＤ信号合成部
１１４  ＴＶ画面表示部
１１５  音声処理部
１１６  映像処理部
１１７  データ処理部
１１８  音声出力
１１９  番組予約頻度管理部
【図１】
2005311561.tif 000003
【図２】
2005311561.tif 000004
【図３】
2005311561.tif 000005
【図４】
2005311561.tif 000006
【図５】
2005311561.tif 000007
【図６】
2005311561.tif 000008
【図７】
2005311561.tif 000009